(57)【特許請求の範囲】
【請求項１】
間隔を隔てて相対する二つのダイアフラムと、各ダイアフラムの面上に取り付けられたボイスコイルと、ポールピースを一体に組み付けたマグネットと、磁気ギャップを隔ててポールピースと相対するヨークと、ダイアフラムの相対間隔を気密に保持するハウジングとを備え、各ダイアフラムのボイスコイルをポールピースとヨークとの磁気ギャップに挿置させて磁気回路を形成すると共に、ボイスコイルの通電回路を設けて二つのダイアフラムを反復継続的に振幅動可能に装備し、更に、ダイアフラムの相対間隔に通ずる空気の取込み口並びに空気の吹出し口を設け、その空気の取込み口に合わせて開閉弁を内側に備え付け、且つ、空気の吹出し口に合わせて開閉弁を外側に備え付け、ダイアフラムの反復継続した振幅動による空気ポンプとして構成したことを特徴とする空気強制供給用アクチュエータ装置。
【請求項２】
筒状のハウジングを基枠とし、ポールピースを一体に組み付けたマグネットをハウジングの枠内中央に配置し、磁気ギャップを隔ててポールピースと外側から相対するヨークをハウジングの枠内に備え付け、ボイスコイルを内面側に取り付けた二つのダイアフラムをハウジングの各開放端で枠内に相対させて張設し、各ダイアフラムのボイスコイルをポールピースとヨークとの磁気ギャップに夫々挿置させて磁気回路を形成すると共に、ボイスコイルの通電回路を設けて二つのダイアフラムを反復継続的に振幅動可能に装備し、更に、空気の取込み口並びに吹出し口をハウジングに設け、その空気の取込み口に合わせて開閉弁をハウジングの内側に備え付け、且つ、空気の吹出し口に合わせて開閉弁をハウジングの外側に備え付け、ダイアフラムの反復継続した振幅動による空気ポンプとして構成したことを特徴とする請求項1に記載の空気強制供給用アクチュエータ装置。
【請求項３】
筒状のハウジングを基枠とし、ポールピースを一体に組み付けたマグネットをハウジングの枠内中央に配置し、磁気ギャップを隔ててポールピースと外側から相対するヨークをハウジングの枠内に備え付け、ボイスコイルを内面側に取り付けた二つのダイアフラムをハウジングの各開放端で枠内に相対させて張設し、各ダイアフラムのボイスコイルをポールピースとヨークとの磁気ギャップに夫々挿置させて磁気回路を形成すると共に、ボイスコイルの通電回路を設けて二つのダイアフラムを反復継続的に振幅動可能に装備し、更に、空気の取込み口並びに吹出し口をダイアフラムの面内中央に設け、その空気の取込み口に合わせて開閉弁をダイアフラムの内側に備え付け、且つ、空気の吹出し口に合わせて開閉弁をダイアフラムの外側に備え付け、ダイアフラムの反復継続した振幅動による空気ポンプとして構成したことを特徴とする請求項1に記載の空気強制供給用アクチュエータ装置。
【請求項４】
ポールピースを両面に組み付けた一つのマグネットと、各ポールピースと相対する一つのヨークとにより、各ボイスコイルに対する磁気回路を形成したことを特徴とする請求項２または３に記載の空気強制供給用アクチュエータ装置。
【請求項５】
ポールピースを片面に組み付けた二つのマグネットと、ポールピースと個々に相対する二つのヨークとにより、各ボイスコイルに対する磁気回路を形成したことを特徴とする請求項２または３に記載の空気強制供給用アクチュエータ装置。
【請求項６】
ボイスコイルを外面側に取り付けた二つのダイアフラムをハウジングの内部に相対させて張設し、ポールピースを片面に組み付けたマグネットと、磁気ギャップを隔ててポールピースと各々相対するヨークとを各ダイアフラムの外側からハウジングの両側に備え付け、各ダイアフラムのボイスコイルをポールピースとヨークとの磁気ギャップに夫々挿置させて磁気回路を形成すると共に、ボイスコイルの通電回路を設けて二つのダイアフラムを反復継続的に振幅動可能に装備し、更に、空気の取込み口並びに吹出し口をハウジングに設け、その空気の取込み口に合わせて開閉弁をハウジングの内側に備え付け、且つ、空気の吹出し口に合わせて開閉弁をハウジングの外側に備え付け、ダイアフラムの反復継続した振幅動による空気ポンプとして構成したことを特徴とする請求項1に記載の空気強制供給用アクチュエータ装置。
【請求項７】
請求項１〜６のいずれかに記載の空気強制供給用アクチュエータ装置を備えて構成したことを特徴とする空気強制供給型空気電池。
【発明の詳細な説明】
【０００１】
【発明の属する技術分野】
本発明は、空気強制供給用アクチュエータ装置並びに空気強制供給型空気電池に関するものである。
【０００２】
【従来の技術】
一般に、空気電池は活性炭電極を陽極に、亜鉛を陰極に使用し、空気を陽極活物質とする一次電池として知られている。
【０００３】
その空気電池は、携帯電話や電子手帳等の携帯用情報機器でバッテリーとして装備することが図られている。また、この空気電池を装備するには空気強制供給手段を備え付けることも検討されている。
【０００４】
その空気強制供給手段としては、既存の小型ファンモータを備え付けることが想定される。然し、既存の小型ファンモータは価格的に高く、また、ファンがボールベアリングや含油メタル等による軸受で作動するところから振動や騒音の問題がある。
【０００５】
【発明が解決しようとする課題】
本発明は、価格的に安価なもので振動や騒音を発生せず、空気を効率よく供給可能な空気強制供給用アクチュエータ装置を提供することを目的とする。
【０００６】
また、本発明は価格的に安価なもので振動や騒音を発生せず、空気を効率よく供給可能な空気強制供給用アクチュエータ装置を備える空気強制供給型空気電池を提供することを目的とする。
【０００７】
【課題を解決するための手段】
本発明の請求項１に係る空気強制供給用アクチュエータ装置においては、間隔を隔てて相対する二つのダイアフラムと、各ダイアフラムの面上に取り付けられたボイスコイルと、ポールピースを一体に組み付けたマグネットと、磁気ギャップを隔ててポールピースと相対するヨークと、ダイアフラムの相対間隔を気密に保持するハウジングとを備え、各ダイアフラムのボイスコイルをポールピースとヨークとの磁気ギャップに挿置させて磁気回路を形成すると共に、ボイスコイルの通電回路を設けて二つのダイアフラムを反復継続的に振幅動可能に装備し、更に、ダイアフラムの相対間隔に通ずる空気の取込み口並びに空気の吹出し口を設け、その空気の取込み口に合わせて開閉弁を内側に備え付け、且つ、空気の吹出し口に合わせて開閉弁を外側に備え付け、ダイアフラムの反復継続した振幅動による空気ポンプとして構成されている。
【０００８】
本発明の請求項２に係る空気強制供給用アクチュエータ装置においては、筒状のハウジングを基枠とし、ポールピースを一体に組み付けたマグネットをハウジングの枠内中央に配置し、磁気ギャップを隔ててポールピースと外側から相対するヨークをハウジングの枠内に備え付け、ボイスコイルを内面側に取り付けた二つのダイアフラムをハウジングの各開放端で枠内に相対させて張設し、各ダイアフラムのボイスコイルをポールピースとヨークとの磁気ギャップに夫々挿置させて磁気回路を形成すると共に、ボイスコイルの通電回路を設けて二つのダイアフラムを反復継続的に振幅動可能に装備し、更に、空気の取込み口並びに吹出し口をハウジングに設け、その空気の取込み口に合わせて開閉弁をハウジングの内側に備え付け、且つ、空気の吹出し口に合わせて開閉弁をハウジングの外側に備え付け、ダイアフラムの反復継続した振幅動による空気ポンプとして構成されている。
【０００９】
本発明の請求項３に係る空気強制供給用アクチュエータ装置においては、筒状のハウジングを基枠とし、ポールピースを一体に組み付けたマグネットをハウジングの枠内中央に配置し、磁気ギャップを隔ててポールピースと外側から相対するヨークをハウジングの枠内に備え付け、ボイスコイルを内面側に取り付けた二つのダイアフラムをハウジングの各開放端で枠内に相対させて張設し、各ダイアフラムのボイスコイルをポールピースとヨークとの磁気ギャップに夫々挿置させて磁気回路を形成すると共に、ボイスコイルの通電回路を設けて二つのダイアフラムを反復継続的に振幅動可能に装備し、更に、空気の取込み口並びに吹出し口をダイアフラムの面内中央に設け、その空気の取込み口に合わせて開閉弁をダイアフラムの内側に備え付け、且つ、空気の吹出し口に合わせて開閉弁をダイアフラムの外側に備え付け、ダイアフラムの反復継続した振幅動による空気ポンプとして構成されている。
【００１０】
本発明の請求項４に係る空気強制供給用アクチュエータ装置においては、ポールピースを両面に組み付けた一つのマグネットと、各ポールピースと相対する一つのヨークとにより、各ボイスコイルに対する磁気回路を形成することにより構成されている。
【００１１】
本発明の請求項５に係る空気強制供給用アクチュエータ装置においては、ポールピースを片面に組み付けた二つのマグネットと、ポールピースと個々に相対する二つのヨークとにより、各ボイスコイルに対する磁気回路を形成することにより構成されている。
【００１２】
本発明の請求項６に係る空気強制供給用アクチュエータ装置においては、ボイスコイルを外面側に取り付けた二つのダイアフラムをハウジングの内部に相対させて張設し、ポールピースを片面に組み付けたマグネットと、磁気ギャップを隔ててポールピースと各々相対するヨークとを各ダイアフラムの外側からハウジングの両側に備え付け、各ダイアフラムのボイスコイルをポールピースとヨークとの磁気ギャップに夫々挿置させて磁気回路を形成すると共に、ボイスコイルの通電回路を設けて二つのダイアフラムを反復継続的に振幅動可能に装備し、更に、空気の取込み口並びに吹出し口をハウジングに設け、その空気の取込み口に合わせて開閉弁をハウジングの内側に備え付け、且つ、空気の吹出し口に合わせて開閉弁をハウジングの外側に備え付け、ダイアフラムの反復継続した振幅動による空気ポンプとして構成されている。
【００１３】
本発明の請求項７に係る空気強制供給型空気電池においては、請求項１〜６のいずれかに記載の空気強制供給用アクチュエータ装置を備えることにより構成されている。
【００１４】
【発明の実施の形態】
以下、添付図面を参照して説明すると、図示実施の形態は空気を陽極活物質とする空気電池に備えられる電磁誘導型の空気強制供給用アクチュエータ装置として構成されている。その実施の形態は大別すると、図１で示す形態と、図８で示す形態と、図１０で示す形態と、図１１で示す形態とが挙げられている。このうち、図１，図８，図１０で示す形態は磁気回路内蔵型に構成され、図１１で示す形態はダイアフラム内蔵型に構成されている。なお、各形態の共通する構成各部は同じ符号を用いて示す。
【００１５】
その共通形態は、円筒状のハウジング１（１ａ，１ｂ）を基枠とし、マグネット２（２ａ，２ｂ）、ポールピース３，４、ヨーク５（５ａ，５ｂ）から磁気回路を形成し、ボイスコイル６，７をポールピース３，４とヨーク５（５ａ，５ｂ）との磁気ギャップＧに挿置すると共に、間隔を隔てて相対する二つのダイアフラム８，９をハウジング１で張設保持し、ボイスコイル８，９の通電回路を設けることから、反復継続的に振幅動（膨張離間動，近接復帰動）するダブルダイアフラムによる空気ポンプとして構成されている。
【００１６】
図１で示す実施の形態においては、マグネット２として円盤状のものが一つ備えられ、ポールピース３，４は一つのマグネット２を挟んで両側に取付け固定されている。このポールピース３，４を一体に備え、マグネット２はハウジング１の枠内中央に配置されている。ヨーク５としては円筒形の磁性リングが一つ備えられ、各ポールピース３，４と磁気ギャップＧを隔て外側から相対するようハウジング１の枠内に備え付けられている。
【００１７】
そのマグネット２とヨーク５とは、両者の相対間に亘る樹脂製の橋絡プレート１０で一体に連結固定されている。また、ヨーク５はハウジング１との間に亘る樹脂製の支持プレート１１を備え、この支持プレート１１によりヨーク５を含むポールピース３，４と一体のマグネット２がハウジング１の枠内に保持固定されている。
【００１８】
各ダイアフラム８，９は、撓み変形可能な樹脂製薄板状のものとして形成されている。その各面内中央寄りには、ボイスコイル６，７を内面側に取り付けるようリング状の凹陥部８ａ，９ａが設けられている。また、各面内外周寄りには相同期した振幅動を許容する同心円の波打ち部８ｂ，９ｂが伸縮可能に設けられている。
【００１９】
そのダイアフラム８，９は、外周縁をハウジング1の開放端で内周縁に沿って設けられた段部１２ａ，１２ｂにあてがうと共に、嵌込みリング１３ａ，１３ｂで押込み固定することによりハウジング１の枠内で相対するよう気密に張設保持されている。また、各ボイスコイル６，７はダイアフラム８，９より突出させてポールピース３，４とヨーク５との磁気ギャップＧに挿置するよう組み付けられている。
【００２０】
その各部構成では、マグネット２、ポールピース３，４、ヨーク５から磁気回路が形成されている。また、図２で示すようにボイスコイル６，７（符号６のみのみ図示）のリード線６ａ，６ｂをハウジング１の外部に引き出し、ハウジング１の端子台１４に取り付けた端子金具１５ａ，１５ｂと各コイル毎に或いは各コイルの＋，−極を合わせて接続することにより通電回路が設けられている。
【００２１】
その回路構成によっては、各ボイスコイル６，７を介してポールピース３とヨーク５との間、ポールピース４とヨーク５との間が相逆のＮ，Ｓ極を呈する（図１参照）よう回路設計されている。この電磁誘導型アクチュエータの回路構成により、ダイアフラム８，９は相同期して振幅動を反復継続的に行えるよう備え付けられている。
【００２２】
そのアクチュエータ機能を空気ポンプとして応用するべく、図１で示す実施の形態においては、空気の取込み口１６並びに吹出し口１７が枠内外に連通させてハウジング１の側面に設けられている。このうち、空気の取込み口１６に合わせては開閉弁１８がハウジング１の内側に備え付けられている。また、空気の吹出し口１７に合わせては開閉弁１９がハウジング１の外側に備え付けられている。
【００２３】
その空気の取込み口１６は、一つまたは複数個をハウジング１の円周方向定間隔毎に並べて設けられる。空気の吹出し口１７は、空気の吹出し方向に合わせて一つまたは複数個を相隣接させて並べることにより設けられる。この空気の吹出し口１７を一つ設ける場合は、丸穴でも、縦または横に向かう長穴としても設けられる。なお、図２で示すように空気の取込み口１６並びに吹出し口１７と相応させて、空気流路となる切欠１１ａ，１１ｂが支持プレート１１の円周縁に設けられている。
【００２４】
開閉弁１８（１９）は、図３で示すように空気の取込み口１６，空気の吹出し口（１７）よりも広い面積の遮蔽部１８ａを有し、その遮蔽部１８ａの周回りから外方に伸びる複数の支持アーム１８ｂ，１８ｃ…を設けた弁体を備え付けられる。この開閉弁１８（１９）は、各支持アーム１８ｂ，１８ｃ…の突端部をハウジング１の壁面に固定することにより取り付けられる。
【００２５】
その開閉弁１８（１９）の他に、図４で示すように遮蔽部１８ａとの付け根から突端部までが遮蔽部１８ａの円周方向に伸びる支持アーム１８ｂ，１８ｃ…を設けたものも備えられる。この開閉弁１８（１９）では、弁体としてコンパクトなものに形成できて開放時のストロークを大きく設定できる。
【００２６】
このように構成する空気強制供給用アクチュエータ装置では、電流の印加で作動させると、ダイアフラム８，９が相同期して振幅動を反復継続的に行う。そのダイアフラム８，９が膨張方向に振幅するときは、図５で示すように開閉弁１８が開き、開閉弁１９が閉じることにより、空気が取込み口１６からハウジング１の枠内に流入する。
【００２７】
一方、ダイアフラム８，９が近接方向に振幅するときは、図６で示すように開閉弁１８が閉じ、開閉弁１９が開くから、空気が吹出し口１６よりハウジング１の枠外に流出する。このダイアフラム８，９の振幅動が反復継続的に繰り返されることにより空気ポンプとして作動し、その空気の吹出し口１６から空気を空気電池に送り込めば、空気電池は空気を陽極活物質として電気エネルギーを発生できる。
【００２８】
その空気強制供給用アクチュエータ装置は、電磁誘導型アクチュエータとして構成されているため、ファンモータと比べて低コストで構成できる。また、ボールベアリングや含油メタル等の軸受による回転機構を備えないところから、振動や騒音の問題はない。殊に、ダイアフラム８，９を二つ備えて振幅動させるダブルダイアフラム構造により振動の発生を抑えられる。
【００２９】
それに加えて、ダイアフラム８，９を二つ備えても、磁気回路としてはポールピース３，４を両面に組み付けた一つのマグネット２と、各ポールピース３，４と外側から相対する一つのヨーク５とを備えて形成されているため、少ない部品点数で価格的に安価なものに構成できる。
【００３０】
図７で示す実施の形態においては、空気の取込み口１６並びに吹出し口１７が枠内外に連通させてハウジング１の厚み面に設けられている。この形態では、空気の取込み側と吹出し側とをハウジング１の異なる厚み面に設け、また、同じ厚み面に設け、或いは片方をハウジング１の側面に設け、他方をハウジング１の厚み面に設けるよう設計変更できる。
【００３１】
図８並びに図９で示す実施の形態においては、空気の取込み口１６並びに吹出し口１７が各ダイアフラム８，９に分けて面内中央に設けられている。また、空気の取込み口１６に合わせては開閉弁１８がダイアフラム８の内側に備え付けられ、空気の吹出し口１７に合わせては開閉弁１９がダイアフラム９の外側に備え付けられている。その構成各部の他は、上述した実施の形態と同様に構成されている。
【００３２】
この図８並びに図９で示す実施の形態では、単なる円筒状に形成したハウジング１を備え付けられると共に、空気をダイヤフラム８，９から直接出し入れできることにより空気を速やかに供給できる。また、図１並びに図７で示す実施の形態を含めて、空気電池の設置位置や機器本体の設計等に応じ、空気の取込み側並びに空気の吹出し側からいずれかを適宜選択することにより空気電池や機器本体に組み付けられる。
【００３３】
図１０で示す実施の形態においては、ポールピース３，４を片面に組み付けた二つのマグネット２ａ，２ｂを備え、各マグネット２ａ，２ｂを皿状のヨーク５ａ，５ｂとポールピース３，４とで挟み込んで一体に接合することにより、磁気回路がダイアフラム８，９の各ボイスコイル６，７に対応させて個別に形成されている。その構成各部の他は、上述した実施の形態と同様に構成されている。
【００３４】
図１０で示す実施の形態では、磁気回路を各ボイスコイル６，７に個別に作用することから、ダイアフラム８，９を瞬時に大きく振幅動させられるため、空気の供給量を増大できる。
【００３５】
図１１で示す実施の形態においては、二つに分割形成されたハウジング１ａ，１ｂを備え、ボイスコイル６，７を外面側に取り付けた二つのダイアフラム８，９をハウジング１ａ，１ｂの内部に相対させて張設し、ポールピース３，４を片面に組み付けたマグネット２ａ，２ｂと、磁気ギャップＧを隔ててポールピース３，４と各々相対する皿状のヨーク５ａ，５ｂとを各ダイアフラムの外側からハウジング１ａ，１ｂの両側に備え付けることによりダイアフラム８，９の内蔵型として構成されている。
【００３６】
その構成中、ハウジング１ａ，１ｂとしては凹部２０ａ，２０ｂを相対させて内側に設け、また、開口部２１ａ，２１ｂを凹部２０ａ，２０ｂの中央位置に設け、更に、凹部２０ａ，２０ｂの内部に連通する複数の空気穴２３ａ，２３ｂ、２４ａ，２４ｂを設けたものが備え付けられている。
【００３７】
ダイアフラム８，９は、外周縁を凹部２０ａ，２０ｂの内周縁に沿って設けられた段部２５ａ，２５ｂにあてがうと共に、嵌込みリング２６ａ，２６ｂで押込み固定することにより、ハウジング１の凹部２０ａ，２０ｂで相対するよう気密に張設保持されている。また、このダイアフラム８，９は凹部２０ａ，２０ｂの内部に連通する空気穴２３ａ，２３ｂ、２４ａ，２４ｂにより振幅動可能に備え付けられている。
【００３８】
ポールピース３，４を片面に組み付けたマグネット２ａ，２ｂは、マグネット２ａ，２ｂをヨーク５ａ，５ｂの皿内に取付け固定し、そのヨーク５ａ，５ｂを開口部２１ａ，２１ｂの内側に嵌め込むことによりハウジング１ａ，１ｂに夫々取付け固定されている。
【００３９】
この実施の形態においても、各ダイアフラム８，９のボイスコイル６，７をポールピース３，４とヨーク５ａ，５ｂとの磁気ギャップＧに夫々挿置させて磁気回路を形成すると共に、ボイスコイル６，７のリード線（図示せず）をハウジング１ａ，１ｂの外部に引き出し、端子金具（図示せず）と接続することにより通電回路が設けられている。
【００４０】
この実施の形態においては、空気の取込み口１６並びに吹出し口１７をハウジングに設け、その空気の取込み口１６に合わせて開閉弁１８をハウジング１ａの内側に備え付け、また、空気の吹出し口１７に合わせて開閉弁１９をハウジング１ｂの外側に備え付けることにより、上述した実施の形態と同様にダイアフラム８，９の反復継続した振幅動による空気ポンプとして構成されている。
【００４１】
図１１で示す実施の形態では、磁気回路を各ボイスコイル６，７に個別に作用することから、ダイアフラム８，９を瞬時に大きく振幅動させられると共に、ダイアフラム８，９の相対間隔による空間を大きく取れることにより、多くの空気を一度に供給できる。
【００４２】
上述したいずれの実施の形態でも、振動や騒音の問題がなくしかも価格的に安価なものに構成できるため、好適な応用例として空気電池に備え付けられる。この空気電池の場合、空気電池のエネルギー容量をセンサーにより検知し、エネルギー容量が低減した時に、空気強制供給用アクチュエータ装置を空気電池自体で作動させて電気エネルギーを発生させるよう装備できる。
【００４３】
但し、空気電池は好適な応用例であり、その他にも、空気の供給を要するものであれば空気強制供給用として広範な用途に適用できる。
【００４４】
【発明の効果】
以上の如く、本発明の請求項１に係る空気強制供給用アクチュエータ装置に依れば、間隔を隔てて相対する二つのダイアフラムと、各ダイアフラムの面上に取り付けられたボイスコイルと、ポールピースを一体に組み付けたマグネットと、磁気ギャップを隔ててポールピースと相対するヨークと、ダイアフラムの相対間隔を気密に保持するハウジングとを備え、各ダイアフラムのボイスコイルをポールピースとヨークとの磁気ギャップに挿置させて磁気回路を形成すると共に、ボイスコイルの通電回路を設けて二つのダイアフラムを反復継続的に振幅動可能に装備し、更に、ダイアフラムの相対間隔に通ずる空気の取込み口並びに空気の吹出し口を設け、その空気の取込み口に合わせて開閉弁を内側に備え付け、且つ、空気の吹出し口に合わせて開閉弁を外側に備え付け、二つのダイアフラムによる電磁誘導型アクチュエータとして空気を強制的に供給可能に構成するため、振動や騒音の問題がなくしかも価格的に安価なものに構成できる。
【００４５】
本発明の請求項２に係る空気強制供給用アクチュエータ装置に依れば、空気の取込み口並びに吹出し口をハウジングに設け、その空気の取込み口に合わせて開閉弁をハウジングの内側に備え付け、且つ、空気の吹出し口に合わせて開閉弁をハウジングの外側に備え付け、ダイアフラムの反復継続した振幅動による空気ポンプとして空気をハウジングより出し入れ可能に構成することから、振動や騒音の問題がなくしかも価格的に安価なものに構成できる。
【００４６】
本発明の請求項３に係る空気強制供給用アクチュエータ装置に依れば、空気の取込み口並びに吹出し口をダイアフラムの面内中央に設け、その空気の取込み口に合わせて開閉弁をダイアフラムの内側に備え付け、且つ、空気の吹出し口に合わせて開閉弁をダイアフラムの外側に備え付け、ダイアフラムの反復継続した振幅動による空気ポンプとして空気をダイアフラムより出し入れ可能に構成することから、空気をダイヤフラムから直接出し入れすることにより空気を速やかに供給できて振動や騒音の問題がなくしかも価格的に安価なものに構成できる。
【００４７】
本発明の請求項４に係る空気強制供給用アクチュエータ装置に依れば、ポールピースを両面に組み付けた一つのマグネットと、各ポールピースと相対する一つのヨークとにより、各ボイスコイルに対する磁気回路を形成するため、少ない部品点数で価格的により安価なものに構成できる。
【００４８】
本発明の請求項５に係る空気強制供給用アクチュエータ装置に依れば、ポールピースを片面に組み付けた二つのマグネットと、ポールピースと個々に相対する二つのヨークとにより各ボイスコイルに対する磁気回路を形成し、磁気回路を各ボイスコイルに個別に作用することによりダイアフラムを瞬時に大きく振幅動可能に構成できて空気の供給量を増大できる。
【００４９】
本発明の請求項６に係る空気強制供給用アクチュエータ装置に依れば、ボイスコイルを外面側に取り付けた二つのダイアフラムをハウジングの内部に相対させて張設し、ポールピースを片面に組み付けたマグネットと、磁気ギャップを隔ててポールピースと各々相対するヨークとを各ダイアフラムの外側からハウジングの両側に備え付け、各ダイアフラムのボイスコイルをポールピースとヨークとの磁気ギャップに夫々挿置させて磁気回路を形成すると共に、ボイスコイルの通電回路を設けて二つのダイアフラムを反復継続的に振幅動可能に装備し、更に、空気の取込み口並びに吹出し口をハウジングに設け、その空気の取込み口に合わせて開閉弁をハウジングの内側に備え付け、且つ、空気の吹出し口に合わせて開閉弁をハウジングの外側に備え付け、ダイアフラムの反復継続した振幅動による空気ポンプとして構成するため、磁気回路を各ボイスコイルに個別に作用できてダイアフラムを瞬時に大きく振幅動可能に構成できると共に、ダイアフラムの相対間隔による空間を大きく取れることにより多くの空気を一度に供給できて振動や騒音の問題がなくしかも価格的に安価なものに構成できる。
【００５０】
本発明の請求項７に係る空気強制供給型空気電池に依れば、請求項１〜６のいずれかに記載の空気強制供給用アクチュエータ装置を備えることにより振動や騒音の問題がなくしかも価格的に安価な空気電池として構成できる。
【図面の簡単な説明】
【図１】本発明の一実施の形態に係る空気強制供給用アクチュエータ装置の構成を断面で示す説明図である。
【図２】同空気強制供給用アクチュエータ装置の構成を平面で示す説明図である。
【図３】同空気強制供給用アクチュエータ装置に備えられる一例の開閉弁を示す平面図である。
【図４】同空気強制供給用アクチュエータ装置に備えられる別の例の開閉弁を示す平面図である。
【図５】同空気強制供給用アクチュエータ装置に備えられるダイアフラムの膨張離間動を示す説明図である。
【図６】同空気強制供給用アクチュエータ装置に備えられるダイアフラムの近接復帰動を示す説明図である。
【図７】図１の実施の形態と異なる空気経路を設けた空気強制供給用アクチュエータ装置の構成を断面で示す説明図である。
【図８】本発明の図１と別の実施の形態に係る空気強制供給用アクチュエータ装置の構成を断面で示す説明図である。
【図９】図８の空気強制供給用アクチュエータ装置を示す平面図である。
【図１０】本発明の図１並びに図８と別の実施の形態に係る空気強制供給用アクチュエータ装置の構成を断面で示す説明図である。
【図１１】本発明の図１，図８並びに図１０と別の実施の形態に係る空気強制供給用アクチュエータ装置の構成を断面で示す説明図である。
【符号の説明】
１（１ａ，１ｂ）        ハウジング
２（２ａ，２ｂ）        マグネット
３，４                  ポールピース
５（５ａ，５ｂ）        ヨーク
６，７                  ボイスコイル
８，９                  ダイアフラム
１６                    空気の取込み口
１７                    空気の吹出し口
１８，１９              開閉弁
Ｇ                      磁気ギャップ
【図１】
0004822198.tif 000002
【図２】
0004822198.tif 000003
【図３】
0004822198.tif 000004
【図４】
0004822198.tif 000005
【図５】
0004822198.tif 000006
【図６】
0004822198.tif 000007
【図７】
0004822198.tif 000008
【図８】
0004822198.tif 000009
【図９】
0004822198.tif 000010
【図１０】
0004822198.tif 000011
【図１１】
0004822198.tif 000012